【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】  受信側と同一の参照情報を参照して、送信すべきパケットのヘッダを圧縮するヘッダ圧縮装置であって、
前記参照情報を格納して管理する参照情報管理手段と、
前記参照情報を参照して、指定された動作モードでパケットのヘッダを圧縮するとともに、受信側の参照情報を更新するための更新情報を圧縮後のパケットに選択的に付加するパケット圧縮手段と、
前記パケット圧縮手段によって圧縮されたパケットを送信するパケット送信手段と、
受信側の参照情報が正しく更新されたことを示すＡＣＫパケットと、受信側でヘッダ復元エラーが発生したために前記更新情報の送信を要求するＮＡＣＫパケットとを受信するパケット受信手段と、
受信側との間でパケットを送受信することにより、受信側との間の往復遅延時間を測定する遅延時間測定手段と、
前記パケット圧縮手段の動作モードを、自らの参照情報を更新した後はＡＣＫパケットを受け取るまで前記更新情報を付加し続ける信頼性優先モードと、自らの参照情報を更新したときに前記更新情報を付加した後は、ＮＡＣＫパケットを受け取るごとに前記更新情報を付加する圧縮効率優先モードとの間で切り替えるモード判定手段とを備え、
前記モード判定手段は、単位時間Ｘごとに前記遅延時間測定手段から前記往復遅延時間を受け取り、前記動作モードが圧縮効率優先モードであるときに前記往復遅延時間が所定の値Ｙを超えない場合には、前記動作モードを信頼性優先モードに切り替え、前記動作モードが信頼性優先モードであるときに前記往復遅延時間が所定の値Ｚを超えた場合には、前記動作モードを圧縮効率優先モードに切り替えることを特徴とする、ヘッダ圧縮装置。
【請求項２】  前記モード判定手段は、単位時間Ｘごとに測定された前記往復遅延時間の変動率を算出し、前記変動率が所定の値Ａを超えない場合には単位時間Ｘを増加させ、前記変動率が所定の値Ｂより大きい場合には単位時間Ｘを減少させることを特徴とする、請求項１に記載のヘッダ圧縮装置。
【請求項３】  送信側と同一の参照情報を参照して、受信したパケットのヘッダを復元するヘッダ復元装置であって、
前記参照情報を格納して管理する参照情報管理手段と、
前記参照情報を更新するための更新情報が選択的に付加されたパケットを受信するパケット受信手段と、
前記パケット受信手段によって受信されたパケットを受け取り、前記更新情報を用いて前記参照情報を更新するとともに、前記参照情報を参照してパケットのヘッダを復元するパケット復元手段と、
前記参照情報が正しく更新されたときには、その旨を示すＡＣＫパケットを送信し、前記パケット復元手段においてヘッダ復元エラーが発生したときには、前記更新情報の送信を要求するＮＡＣＫパケットを送信するパケット送信手段と、
送信側との間でパケットを送受信することにより、送信側との間の往復遅延時間を測定する遅延時間測定手段と、
送信側の動作モードを、自らの参照情報を更新した後はＡＣＫパケットを受け取るまで前記更新情報を付加し続ける信頼性優先モードと、自らの参照情報を更新したときに前記更新情報を付加した後は、ＮＡＣＫパケットを受け取るごとに前記更新情報を付加する圧縮効率優先モードとの間で切り替えるモード判定手段と、
前記モード判定手段によって選択された前記動作モードを送信側に通知するモード通知手段とを備え、
前記モード判定手段は、単位時間Ｘごとに前記遅延時間測定手段から前記往復遅延時間を受け取り、前記動作モードが圧縮効率優先モードであるときに前記往復遅延時間が所定の値Ｙを超えない場合には、前記動作モードを信頼性優先モードに切り替え、前記動作モードが信頼性優先モードであるときに前記往復遅延時間が所定の値Ｚを超えた場合には、前記動作モードを圧縮効率優先モードに切り替えることを特徴とする、ヘッダ復元装置。
【請求項４】  前記モード判定手段は、単位時間Ｘごとに測定された前記往復遅延時間の変動率を算出し、前記変動率が所定の値Ａを超えない場合には単位時間Ｘを増加させ、前記変動率が所定の値Ｂより大きい場合には単位時間Ｘを減少させることを特徴とする、請求項３に記載のヘッダ復元装置。
【請求項５】  受信側と同一の参照情報を参照して、送信すべきパケットのヘッダを圧縮するヘッダ圧縮方法であって、
格納されている前記参照情報を参照して、指定された動作モードでパケットのヘッダを圧縮するとともに、受信側の参照情報を更新するための更新情報を圧縮後のパケットに選択的に付加するパケット圧縮ステップと、
前記パケット圧縮ステップにおいて圧縮されたパケットを送信するパケット送信ステップと、
受信側の参照情報が正しく更新されたことを示すＡＣＫパケットと、受信側でヘッダ復元エラーが発生したために前記更新情報の送信を要求するＮＡＣＫパケットとを受信するパケット受信ステップと、
受信側との間でパケットを送受信することにより、受信側との間の往復遅延時間を測定する遅延時間測定ステップと、
前記パケット圧縮ステップの動作モードを、自らの参照情報を更新した後はＡＣＫパケットを受け取るまで前記更新情報を付加し続ける信頼性優先モードと、自らの参照情報を更新したときに前記更新情報を付加した後は、ＮＡＣＫパケットを受け取るごとに前記更新情報を付加する圧縮効率優先モードとの間で切り替えるモード判定ステップとを備え、
前記モード判定ステップは、単位時間Ｘごとに前記遅延時間測定ステップにおいて測定された前記往復遅延時間を受け取り、前記動作モードが圧縮効率優先モードであるときに前記往復遅延時間が所定の値Ｙを超えない場合には、前記動作モードを信頼性優先モードに切り替え、前記動作モードが信頼性優先モードであるときに前記往復遅延時間が所定の値Ｚを超えた場合には、前記動作モードを圧縮効率優先モードに切り替えることを特徴とする、ヘッダ圧縮方法。
【請求項６】  前記モード判定ステップは、単位時間Ｘごとに測定された前記往復遅延時間の変動率を算出し、前記変動率が所定の値Ａを超えない場合には単位時間Ｘを増加させ、前記変動率が所定の値Ｂより大きい場合には単位時間Ｘを減少させることを特徴とする、請求項５に記載のヘッダ圧縮方法。
【請求項７】  送信側と同一の参照情報を参照して、受信したパケットのヘッダを復元するヘッダ復元方法であって、
格納している前記参照情報を更新するための更新情報が選択的に付加されたパケットを受信するパケット受信ステップと、
前記パケット受信ステップにおいて受信されたパケットを受け取り、前記更新情報を用いて前記参照情報を更新するとともに、前記参照情報を参照してパケットのヘッダを復元するパケット復元ステップと、
前記参照情報が正しく更新されたときには、その旨を示すＡＣＫパケットを送信し、前記パケット復元ステップにおいてヘッダ復元エラーが発生したときには、前記更新情報の送信を要求するＮＡＣＫパケットを送信するパケット送信ステップと、
送信側との間でパケットを送受信することにより、送信側との間の往復遅延時間を測定する遅延時間測定ステップと、
送信側の動作モードを、自らの参照情報を更新した後はＡＣＫパケットを受け取るまで前記更新情報を付加し続ける信頼性優先モードと、自らの参照情報を更新したときに前記更新情報を付加した後は、ＮＡＣＫパケットを受け取るごとに前記更新情報を付加する圧縮効率優先モードとの間で切り替えるモード判定ステップと、
前記モード判定ステップにおいて選択された前記動作モードを送信側に通知するモード通知ステップとを備え、
前記モード判定ステップは、単位時間Ｘごとに前記遅延時間測定ステップにおいて測定された前記往復遅延時間を受け取り、前記動作モードが圧縮効率優先モードであるときに前記往復遅延時間が所定の値Ｙを超えない場合には、前記動作モードを信頼性優先モードに切り替え、前記動作モードが信頼性優先モードであるときに前記往復遅延時間が所定の値Ｚを超えた場合には、前記動作モードを圧縮効率優先モードに切り替えることを特徴とする、ヘッダ復元方法。
【請求項８】  前記モード判定ステップは、単位時間Ｘごとに測定された前記往復遅延時間の変動率を算出し、前記変動率が所定の値Ａを超えない場合には単位時間Ｘを増加させ、前記変動率が所定の値Ｂより大きい場合には単位時間Ｘを減少させることを特徴とする、請求項７に記載のヘッダ復元方法。